(57)【要約】  【課題】  簡単な構造を有し、多くの時間及び手間をかけることなく製造、組み立てることができ、設置される場所の温度、湿度等の環境条件が変化しても、設置場所より離脱するのを抑制することができ、レーザ光の光軸がずれるのを抑制することができ、安定して、光ディスクの記録層にレーザ光を照射することができる光ヘッドを提供する。  【解決手段】  ベースＢｓに取り付けられるものであり、レーザ光源１１と、レーザ光源１１を圧入する直方体形状のレーザホルダ１２と、レーザホルダ１２を弾性支持するホルダ弾性支持部材１３と、ベースＢｓとホルダ弾性支持部材１３を安定して弾性的に固定する留め部材１４とを有している。【選択図】      図２
2006179091.tif 000002
【特許請求の範囲】
【請求項１】
レーザ光を照射するレーザ光学系と、前記レーザ光を反射するミラーと、前記レーザ光
を平行光にするコリメータレンズと、前記レーザ光を前記光ディスクに照射するための対
物レンズと、前記光ディスクで反射した光を分光するビームスプリッタと、光を受光する
受光素子とを有しており、
前記レーザ光学系はベースに取り付けられるものであり、レーザ光源と、前記レーザ光
源が圧入されたレーザホルダと、前記レーザホルダを支持するホルダ弾性支持部材と、２
以上の部材を挟み固定する留め部材とを有し、
前記ホルダ弾性支持部材は前記ベースと接触する矩形の底部と、前記底部と直角に接続
し、前記レーザホルダの側面の略全面を覆う第１支持部と、前記底部と直角に接続し、前
記第１支持部と対面するとともに、前記レーザホルダの一部を支持する第２支持部とを有
し、
前記第１支持部及び前記第２支持部には前記レーザホルダの各接触面に形成された係合
凹部と係合する係合凸部が形成されており、
前記留め部材は前記ベース及び前記ホルダ弾性支持部材の低部と接触する板ばね状の支
持部を有しており、前記レーザホルダを前記ホルダ弾性支持部材に接着固定した後、前記
留め部材を前記ホルダ弾性支持部材の底部と前記ベースを挟むように配置するとともに接
着固定することを特徴とする光ヘッド。
【請求項２】
レーザ光源と、前記レーザ光源が圧入されたレーザホルダと、前記レーザホルダを支持
するホルダ弾性支持部材と、２以上の部材を挟み固定する留め部材とを備えたレーザ光学
系を有し、
前記レーザホルダを前記ホルダ弾性支持部材に接着固定し、前記留め部材を前記ホルダ
弾性支持部材の底部と前記ベースを挟むように配置するとともに接着固定することを特徴
とする光ヘッド。
【請求項３】
前記留め部材は２枚の板ばねを平行に配置し一方の端部を連結した形状を有しているこ
とを特徴とする請求項２に記載の光ヘッド。
【請求項４】
前記留め部材は１枚の金属板を折り曲げることで形成されることを特徴とする請求項２
又は請求項３に記載の光ヘッド。
【発明の詳細な説明】
【技術分野】
【０００１】
本発明は、光ディスクに光を照射することでデータの記録及び（又は）読出しを行う光
ヘッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図２に光ヘッドの配置図を示す。図２に示すようにレーザ光源Ｌｄと、ミラーＭｒと、
コリメータレンズ３と、対物レンズ４と、ビームスプリッタＢｓと、受光素子Ｐｄとを有
している。レーザ光学系Ｌｄより照射されたレーザ光はミラーＭｒで反射されてコリメー
タレンズ３に入射する。コリメータレンズ３に入射したレーザ光は平行光として出射され
対物レンズ４に入射する。対物レンズ４に入射したレーザ光はＤＶＤメディアＤｓの記録
面に照射される。
【０００４】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【０００５】
図５に従来のレーザ光学系の斜視図を示す。レーザ光学系９１は、ベースＢｓに取り付
けられるものであり、レーザ光源９２と、レーザ光源９２が圧入されたレーザホルダ９３
と、レーザホルダ９３を支持するホルダ弾性支持部材９４とを有している。
【０００６】
レーザホルダ９３はそれには限定されないが、ここでは、直方体形状を有しており、中
央部にレーザ光源９２が着脱可能に取り付けられている。ホルダ弾性支持部材９４はベー
スＢｓと接触する矩形の底部９４０と、底部９４０と直角に接続し、レーザホルダ９３の
側面の略全面を覆う第１支持部９４１と、底部９４０と直角に接続し、第１支持部９４１
と対面するとともに、レーザホルダ９３の側面の一部を支持する第２支持部９４２とを有
している。
【０００７】
図５に示すように、レーザ光源９２は電力を供給するための電力供給端子９２１を備え
ている。電力供給端子９２１より電力を供給することで、レーザ光源９２よりレーザ光が
照射される。また、ベースＢｓ及びホルダ弾性支持部材９４には、図示は省略しているが
、レーザ光が通過する貫通孔が形成されている。
【０００８】
以下に、ベースＢｓにレーザ光学系９１を取り付ける手順を示す。レーザ光源９２が圧
入されたレーザホルダ９３をホルダ弾性支持部材９４に取り付ける。このとき、ホルダ弾
性支持部材９４の第１支持部９４１及び第２支持部９４２には係合凸部が形成され、レー
ザホルダ９３の係合凸部に対応する部分に係合凹部が形成されている。係合凸部と係合凹
部が係合することで、レーザホルダ９３の底部がホルダ弾性支持部材９４の底部９４１と
接触しないように支持することができる。ベースＢｓにホルダ弾性支持部材９４を配置す
る。
【０００９】
レーザ光が予め決められている光路になるように光軸の調整を行う。レーザ光の光軸調
整が終わった時点で、第１支持部９４１と第２支持部９４２に接着剤９５を塗布し、ホル
ダ弾性支持部材９４とレーザホルダ９３とを接着する。ホルダ弾性支持部材９４の底部９
４０に接着剤９５を塗布しホルダ弾性支持部材９４をベースＢｓに接着固定することがで
きる。
【００１０】
同様の光学部品を支持固定する方法として、例えば、特開2004-206801号公報に記載の
発明では、光学部品であるレーザユニットを保持するレーザホルダを押えるばねをねじに
て支持するものを示している。さらに、特開2002-304744号公報に記載の発明では、レー
ザ発光素子を可撓性プラスチック等の調整部材を介してばね等の固定手段を取り付けるこ
とで固定するものを示している。
【特許文献１】特開2004-206801号公報
【特許文献２】特開2002-304744号公報
【発明の開示】
【発明が解決しようとする課題】
【００１１】
レーザ光源９２をベースＢｓに取り付ける場合、通常、接着剤９５として加熱すること
で硬化する熱硬化性の接着剤が用いられることが多い。熱硬化性の接着剤はその特性によ
り、接着剤の塗布が容易であるとともに、硬化させるのが簡単である。しかし、熱硬化性
の接着剤は温度、湿度等の環境変化に弱く、複数の環境条件で環境試験を行った場合、接
着が不十分になり、レーザ光の光軸がずれる場合が確認されることがある。
【００１２】
レーザ光の光軸がずれると、前記光ディスクに記録されているデータ層の正しい位置に
レーザ光が集光したレーザスポットを照射することが困難になる。レーザスポットがずれ
ることで、光ディスクに記録されているデータを正しく読めない場合が出てくる。前記光
ディスクに記録されているデータを正しく読めない場合、例えばＤＶＤプレーヤであれば
、映像や音声が途切れたり、最悪の場合、再生することができなくなることもある。また
、記録可能な光ヘッドの場合、決められた位置にレーザスポットを照射することができな
いので、光ディスクに正しいデータを記録するのが困難になったり、記録するのに非常に
長い時間が必要になったりする。
【００１３】
特開2004-206801号公報に記載の発明の場合、接着が不十分であってもねじがばねを押
えるので、該ばねは脱落せず、レーザ光の光軸がずれにくい。しかしながら、ねじ、ばね
等の部材を必要とするので、構成が複雑化し、製造、組み立てに手間、時間がかかる。
【００１４】
特開2002-304744号公報に記載の発明の場合、固定手段を取り外さなくてもレーザ発光
素子の調整を行うことができるので、レーザ発光素子の調整を容易に行うことが可能であ
る。しかしながら、固定手段、調整手段を重ねて取り付けなくてはならず、取り付けスペ
ースが大きくなる。また、上述の場合と同様、構造が複雑化し、製造、組み立てに手間、
時間がかかる。
【００１５】
そこで本発明は、簡単な構造を有し、多くの時間及び手間をかけることなく製造、組み
立てることができ、設置される場所の温度、湿度等の環境条件が変化しても、設置場所よ
り離脱するのを抑制することができるレーザ光学系を有する光ヘッドを提供することを目
的とする。
【００１６】
また本発明は、レーザ光学系より照射されるレーザ光の光軸がずれにくく、それだけ、
安定して、光ディスクの記録層にレーザ光を照射することができる光ヘッドを提供するこ
とを目的とする。
【課題を解決するための手段】
【００１７】
上記目的を達成するために本発明は、レーザ光を照射するレーザ光学系と、前記レーザ
光を反射するミラーと、前記レーザ光を平行光にするコリメータレンズと、前記レーザ光
を前記光ディスクに照射するための対物レンズと、前記光ディスクで反射した光を分光す
るビームスプリッタと、光を受光する受光素子とを有しており、前記レーザ光学系はベー
スに取り付けられるものであり、レーザ光源と、前記レーザ光源が圧入されたレーザホル
ダと、前記レーザホルダを支持するホルダ弾性支持部材と、２以上の部材を挟み弾性的に
固定する留め部材とを有し、前記ホルダ弾性支持部材は前記ベースと接触する矩形の底部
と、前記底部と直角に接続し、前記レーザホルダの側面の略全面を覆う第１支持部と、前
記底部と直角に接続し、前記第１支持部と対面するとともに、前記レーザホルダの一部を
支持する第２支持部とを有し、前記第１支持部及び前記第２支持部には前記レーザホルダ
の各接触面に形成された係合凹部と係合する係合凸部が形成されており、前記レーザホル
ダを前記ホルダ弾性支持部材に接着固定し、前記ホルダ弾性支持部材を前記ベースに接着
固定した後、前記留め部材を前記ホルダ弾性支持部材の底部と前記ベースを挟むように配
置するとともに接着固定することを特徴とする光ヘッドを提供する。
【００１８】
この構成によると、前記留め部材を前記ベースと前記ホルダ弾性支持部材を挟むように
取り付けられることで、前記ホルダ弾性支持部材を前記ベースに固定している接着剤が温
度、湿度等で剥離することで、該ホルダ弾性支持部材が前記ベースから、ずれたり、離脱
したりするのを防ぐことができる。
【００１９】
また、前記留め部材は弾性的に固定するので、前記ベース及び（又は）前記ホルダ弾性
支持部材の底部の厚みが変化しても、所定以上の弾性力で該ホルダ弾性支持部材を該ベー
スに押し付けることができるので、より汎用性が高く、それだけ、レーザ光学系の製造コ
ストを低減することができる。さらに、留め部材はヘアピン様の形状を有しているので、
取り付けが容易であり、それだけ、レーザ光学系の組立時間、手間を削減することができ
、組立コストを低減することが可能である。
【００２０】
また、上記目的を達成するために本発明はレーザ光源と、前記レーザ光源が圧入された
レーザホルダと、前記レーザホルダを支持するホルダ弾性支持部材と、２以上の部材を挟
み弾性的に固定する留め部材とを備えたレーザ光学系を有し、前記レーザホルダを前記ホ
ルダ弾性支持部材に接着固定し、前記ホルダ弾性支持部材を前記ベースに接着固定した後
、前記留め部材を前記ホルダ弾性支持部材の底部と前記ベースを挟むように配置するとと
もに接着固定することを特徴とする光ヘッドを提供する。
【００２１】
この構成によると、前記留め部材を前記ベースと前記ホルダ弾性支持部材を挟むように
取り付けられることで、前記ホルダ弾性支持部材を前記ベースに固定している接着剤が温
度、湿度等で剥離することで、該ホルダ弾性支持部材が前記ベースから、ずれたり、離脱
したりするのを防ぐことができる。
【００２２】
また、前記留め部材は弾性的に固定するので、前記ベース及び（又は）前記ホルダ弾性
支持部材の底部の厚みが変化しても、所定以上の弾性力で該ホルダ弾性支持部材を該ベー
スに押し付けることができるので、より汎用性が高く、それだけ、レーザ光学系の製造コ
ストを低減することができる。さらに、留め部材はヘアピン様の形状を有しているので、
取り付けが容易であり、それだけ、レーザ光学系の組立時間、手間を削減することができ
、組立コストを低減することが可能である。
【００２３】
上記構成において、前記留め部材は２枚の板ばねを平行に配置し一方の端部を連結した
形状であっても良く、１枚の金属板を折り曲げることで形成されるものであってもよい。
【発明の効果】
【００２４】
本発明によると、簡単な構造を有し、多くの時間及び手間をかけることなく製造、組み
立てることができ、設置される場所の温度、湿度等の環境条件が変化しても、設置場所よ
り離脱するのを抑制することができ、レーザ光の光軸がずれるのを抑制することができる
レーザ光学系を有する光ヘッドを提供することができる。
【００２５】
また本発明によると、レーザ光学系より照射されるレーザ光の光軸がずれにくく、それ
だけ、安定して、光ディスクの記録層にレーザ光を照射することができる光ヘッドを提供
することができる。
【発明を実施するための最良の形態】
【００２６】
以下に本発明の実施形態を図面を参照して説明する。図１に本発明にかかる光ヘッドの
一例の配置図を示す。図１に示す光ヘッドＡは、従来と実質上同一の構造を有している。
すなわち、レーザ光学系１と、ミラーＭｒと、コリメータレンズ３と、対物レンズ４と、
ビームスプリッタＢｓと、受光素子Ｐｄとを有している。レーザ光学系１より照射された
レーザ光はミラーＭｒで反射され、コリメータレンズ３に入射し、平行光に変化してコリ
メータレンズ３より出射する。コリメータレンズ３より出射したレーザ光は対物レンズ４
に入射し対物レンズ４よりＤＶＤメディアＤｓに照射される。
【００２７】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。上述の各部材へのレーザ光
の照射順序はこれに限定されるものではなく、可能な範囲で順序が入れ替わっているもの
であっても良い。
【００２８】
図２に本発明にかかる光ヘッドに用いられるレーザ光学系の斜視図を、図３に図２に示
すレーザ光学系の側面図を示す。図２、図３に示すレーザ光学系１は光ヘッドＡのベース
Ｂｓに取り付けられるものであり、レーザ光源１１と、レーザ光源１１を圧入する直方体
形状のレーザホルダ１２と、レーザホルダ１２を弾性支持するホルダ弾性支持部材１３と
、ベースＢｓとホルダ弾性支持部材１３を安定して弾性的に固定する留め部材１４とを有
している。
【００２９】
レーザホルダ１２はレーザ光源１１を圧入するための圧入孔１２１を備えている。圧入
孔１２１は貫通しており、レーザ光源１１が圧入される側の反対側よりレーザ光が照射さ
れる。ホルダ弾性支持部材１３は矩形の底部１３０と、底部１３０と直角に接続し、レー
ザホルダ１２の側面の略全面を覆う第１支持部１３１と、底部１３０と直角に接続し、第
１支持部１３１と対面するとともに、レーザホルダ１２の側面の一部を支持する第２支持
部１３２とを有している。レーザ光源１１には電源供給用の端子１１１を有しており、端
子１１１に電力を供給することでレーザ光を照射する。
【００３０】
レーザホルダ１２はホルダ弾性支持部材１３の第１支持部１３１及び第２支持部１３２
に接着固定されており、ホルダ弾性支持部材１３は底部１３０がベースＢｓに接着固定さ
れている。ホルダ弾性支持部材１３及びベースＢｓにはレーザ光が通過するための貫通孔
１３ｈ、Ｂｓｈが形成されている。レーザホルダ１２はレーザ光源１１より照射されるレ
ーザ光が、ホルダ弾性支持部材１３の貫通孔１３ｈを通過するように取りつけられている
。また、ホルダ弾性支持部材１３の貫通孔１３ｈ及びベースＢｓの貫通孔Ｂｓｈの中心軸
が重なるように配置されている。レーザ光はホルダ弾性支持部材１３の貫通孔１３ｈ及び
ベースＢｓの貫通孔Ｂｓｈを通過して出射する。
【００３１】
第１支持部１３１はそれには限らないがここでは内側に向いた２個の第１係合凸部１３
３を備えており、第２支持部１３２も内側に向いた第２係合凸部１３４を備えている。レ
ーザホルダ１２の第１支持部１３１と接触する部分に第１係合凸部１３３と係合する第１
係合凹部１２１が形成されている。レーザホルダ１２の第２支持部１３１と接触する部分
に第２係合凸部１３４と係合する第２係合凹部１２２が形成されている（図３参照）。第
１係合凸部１３３及び第２係合凸部１３４と第１係合凹部１２１及び第２係合凹部１２２
がそれぞれ係合することで、ホルダ弾性支持部材１３の底部１３０とレーザホルダ１２の
底面が接触するのを防ぐ。
【００３２】
留め部材１４は、それには限らないが、ここでは、一枚の金属板を折り曲げて形成され
るものであり、ヘアピン様の形状を有している。留め部材１４は第１係止部１４１と、第
２係止部１４２と、第１係止部１４１と第２係止部１４２とを接続する接続部１４３とを
有している。図２に示すレーザ光学系１の場合、第１係止部１４１はホルダ弾性支持部材
１３の底部１３０に、第２係止部１４２はベースＢｓと接触し、レーザ光学系１がベース
Ｂｓからはなれるのを防いでいる。
【００３３】
第１係止部１４１及び第２係止部１４２は板ばねと同様であり、弾性変形可能である。
このことによると、ホルダ弾性支持部材１３の底部１３０の厚み及び（又は）ベースＢｓ
の厚みが変化しても、所定の厚みになるまでは弾性支持することができる。
【００３４】
図４（Ａ）〜（Ｅ）に本発明に係るレーザ光学系の組み立て手順を示す。まず、レーザ
ホルダ１２をホルダ弾性支持部材１３に取り付ける（図４（Ａ））。このとき、ベースＢ
ｓの貫通孔Ｂｓｈとホルダ弾性支持部材１３の貫通孔１３ｈとの中心軸が一致するように
配置する。すなわち、ホルダ弾性支持部材１３の第１係合凸部１３３とレーザホルダ１２
の第１係合凹部１２１と、第２係合凸部１３４と第２係合凹部１２２とを係合させる。そ
して、ベースＢｓにレーザホルダ１２を取り付けたホルダ弾性支持部材１３を配置する（
図４（Ｂ）参照）。
【００３５】
そして、レーザ光源１１より照射するレーザ光の光軸を調整する。ホルダ弾性支持部材
１３の端部に接着剤２を塗布しベースＢｓとホルダ弾性支持部材１３を接着固定する（図
４（Ｃ））。ベースＢｓとホルダ弾性支持部材１３とを挟むように留め部材１４を配置し
接着固定する（図４（Ｄ））。レーザホルダ１２とホルダ弾性支持部材１３の第１支持部
１３１、レーザホルダ１２とホルダ弾性支持部材１３の第２支持部１３２とを接着剤２に
て接着固定する（図４（Ｅ））。
【００３６】
以上の手順でベースＢｓにレーザ光学系１を取り付けることができる。また、取り付け
の手順はこれに限定されるものではなく、多少取り付け順序が前後しても、レーザ光学系
１をベースＢｓに確実に固定することができ、レーザ光の光軸がずれないものを広く採用
することができる。
【００３７】
レーザ光学系１をベースＢｓに接着固定する接着剤２は、それには限定されないが、こ
こでは熱硬化性の接着剤であり、接着後も熱、湿度等によって外れる場合がある。接着剤
が外れたり、緩んだりした場合であっても、留め部材１４をとりつけることで、レーザ光
学系１がベースＢｓから剥離することがなく、光軸のずれが発生するのを抑制することが
できるので、レーザ光を安定して照射することができ、光ヘッドＡを安定動作させること
ができる。ここでは、接着剤として熱硬化性の接着剤を例に説明しているが、他の接着剤
であっても、同様である。
【００３８】
本実施例に示す留め部材は一体的に形成された部材であるがそれに限定されるものでは
なく、複数の部材を組み合わせてヘアピン様の形状にしたものを広く採用することができ
る。また、本実施例では１個のレーザ光源１１（ホルダ弾性支持部材１３）につき、留め
部材１４が１個設けられているものを例示しているが、それに限定されるものではなく、
複数個備えるものであってもよい。
【００３９】
留め部材１４の第１係止部１４１及び第２係止部１４２の内面のうち少なくとも一方に
留め部材１４の抜け防止を行う係合凸部が形成されており、ホルダ弾性支持部材１３の底
部１３３及び（又は）ベースＢｓの係合凸部と対応する場所に係合凹部が形成されている
ものを例示することができる。この構成によると、留め部材１４を接着している接着剤が
剥離、溶失等した場合であっても、留め部材は外れることがないので、ベースＢｓへのホ
ルダ弾性支持部材１３の配置状態を維持することができる。
【産業上の利用可能性】
【００４０】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００４１】
【図１】本発明にかかる光ヘッドの一例の配置図である。
【図２】本発明にかかる光ヘッドに用いられるレーザ光学系の斜視図である。
【図３】図２に示すレーザ光学系の側面図である。
【図４】図（Ａ）〜（Ｅ）は本発明に係るレーザ光学系の組み立て手順を示す図である。
【図５】従来のレーザ光学系の斜視図である。
【符号の説明】
【００４２】
Ｄｓ  光ディスク
Ｍｒ  ミラー
Ｂｓ  ビームスプリッタ
Ｐｄ  受光部
１  レーザ光学系
１１  レーザ光源
１２  レーザホルダ
１３  ホルダ弾性支持部材
１４  留め部材
２  接着剤
３  コリメータレンズ
４  対物レンズ
【図１】
2006179091.tif 000003
【図２】
2006179091.tif 000004
【図３】
2006179091.tif 000005
【図４】
2006179091.tif 000006
【図５】
2006179091.tif 000007